(57)【要約】【課題】包装内外に香りを長期間継続的に放つことができる香り付き包装フィルムを提供する。【解決手段】  香料を含む基材層及びこの基材層の両面に配置される被覆層を有しそれら被覆層のうち基材層の一方面側の被覆層が基材層中の香料の揮散を抑制する香料弱透過層とされ、他方面側の樹脂層が前記香料弱透過層又は基材層中の香料の揮散を防止する香料バリア層とされた香り付き包装フィルムにより解決される。【選択図】図１
2014162546.tif 000002
【特許請求の範囲】
【請求項１】
シート状の包装フィルムであって、
香料を含む基材層及びこの基材層の両面に配置される被覆層を有しそれら被覆層のうち基材層の一方面側の被覆層が基材層中の香料の揮散を抑制する香料弱透過層とされ、他方面側の樹脂層が前記香料弱透過層又は基材層中の香料の揮散を防止する香料バリア層とされた、ことを特徴とする香り付き包装フィルム。
【請求項２】
請求項１記載の香り付き包装フィルムを袋状に形成したことを特徴とする香り付き包装袋。
【請求項３】
香料弱透過層が袋内面とされ、香料バリア層が袋外面とされている請求項２記載の香り付包装袋。
【請求項４】
香料弱透過層が袋外面とされ、香料バリア層が袋内面とされている請求項２記載の香り付包装袋。
【請求項５】
基材層の一方面側が香料弱透過層、他方面側が香料バリア層とされた請求項１記載の香り付きフィルムの香料バリア層上に粘着剤層を設けた、ことを特徴とする香り付きラベル。
【発明の詳細な説明】
【技術分野】
【０００１】
本発明は、香り付きの包装フィルム、香り付き包装袋及び香り付きのラベルに関する。
【背景技術】
【０００２】
香辛料、紅茶のような香りが重視される食品、香水等の香料製品、香り付きのティシュペーパーなどの香りを有する製品や香りを付与した製品の包装には、香気が外部に漏れ出ることによる被包装物の香気の低下や外部からの被包装物への臭い移りを防止すべく、ガスバリア性に優れ高い気密性を有する包装フィルムが用いられている。
【０００３】
しかし、このような製品では、香りが商品選択の重要な要素となっているにもかかわらず、その香りを、製品購入前に確認したりイメージしたりすることができないという問題があった。
また、ティシュー、紙おむつ、ペット用吸収シート、ナプキンやサニタリー用品、ファッション雑誌や生活雑貨などにおいては、被包装物自体は無香性が求められるものの製品の販売促進等のために外装に香水等の香気を付与したいという要望がある。しかし、外装に直接に香料を付与する場合香りが強すぎたり、反対に流通過程で香気が低下してしまい十分な香りが得られないことがあるという問題があった。
【０００４】
一方、良く知られる香り付きのティシュペーパーやトイレットペーパーは、従来、紙自体に香料を付与するものが主流であるが、肌に直接に触れるティシュペーパーなどに香料が付与されていることを望まない者も多く、紙自体に直接に香料を付与せずに香りを付与することが求められている。
【先行技術文献】
【特許文献】
【０００５】
【特許文献１】特許４５５６２０９号
【特許文献２】特登４８７０９２５号
【発明の概要】
【発明が解決しようとする課題】
【０００６】
そこで、本発明の主たる課題は、包装内外のガスバリア性を確保しつつ内部又は外部に香気を放つことが可能であり、しかも徐放性に優れ所望の強さの香りを長期間継続的に放つことが可能な香り付き包装フィルム、及び香り付き包装袋、香り付きラベルを提供することにある。
【課題を解決するための手段】
【０００７】
上記課題を解決した本発明は以下のとおりである。
【０００８】
〔請求項１記載の発明〕
柔軟なシート状の包装フィルムであって、
香料を含む基材層及びこの基材層の両面に配置される被覆層を有しそれら被覆層のうち基材層の一方面側の被覆層が基材層中の香料の揮散を抑制する香料弱透過層とされ、他方面側の樹脂層が前記香料弱透過層又は基材層中の香料の揮散を防止する香料バリア層とされた、ことを特徴とする香り付き包装フィルム。
【０００９】
〔請求項２記載の発明〕
請求項１記載の香り付き包装フィルムを袋状に形成したことを特徴とする香り付き包装袋。
【００１０】
〔請求項３記載の発明〕
香料弱透過層が袋内面とされ、香料バリア層が袋外面とされている請求項２記載の香り付包装袋。
【００１１】
〔請求項４記載の発明〕
香料弱透過層が袋外面とされ、香料バリア層が袋内面とされている請求項２記載の香り付包装袋。
【００１２】
〔請求項５記載の発明〕
基材層の一方面側が香料弱透過層、他方面側が香料バリア層とされた請求項１記載の香り付きフィルムの香料バリア層上に粘着剤層を設けた、ことを特徴とする香り付きラベル。
【００１３】
（作用効果）
本発明に係る香り付き包装フィルムは、香料を含む基材層及びこの基材層の両面に配置される被覆層を有しそれら被覆層のうち基材層の一方面側の被覆層が基材層中の香料の揮散を抑制する香料弱透過層とされ、他方面側の被覆層が前記香料弱透過層又は基材層中の香料の揮散を防止する香料バリア層とされている。
【００１４】
また、本発明に係る香り付き包装フィルムは、香料が露出されているようなものと比較して、香料弱透過層を介して外部に緩やかに香料が揮散するようになるため、長期にわたって所望の強さの香りを継続的に放つものとすることができる。そして、香料弱透過層のガス透過度や厚みなどの香料の透過性を調整することで香りの強さ及び持続性を容易に調整できる。このように本発明に係る香り付き包装フィルムは、香りの徐放性の調整が容易なものとなる。
【００１５】
他方、本発明に係る香り付き包装フィルムは、香料弱透過層から揮散した香料が外部に拡散し、周辺を香気のある雰囲気とする。このため、本発明に係る香り付き包装フィルムを用いて、その香料弱透過層を内外面にして包装物を包んだ場合には、内包物に香気を移行させて着香させることができるとともに、その香気を外部からも感じられるものとなる。
【００１６】
また、香料弱透過層を内面側として香料バリア層を外面側にして包装物を包んだ場合には、内包物に香気を移行させて着香させることができるとともに、外部にはその香気が漏れでないようになり、内包物に直接的に香料を付与せずに間接的に移香させる用途に適するものとなる。
【００１７】
さらに、香料弱透過層を外面側として香料バリア層を内面側にして包装物を包んだ場合には、内包物に香気を移行させることなく、外部からは香気を感じられるようになり、内包物に香料を付与せずに外部に香気を放つものとしたい用途に適するものとなる。
【００１８】
香り付き包装フィルムを袋状に形成すれば、外部に香りを放つことなく、内包物に香りを着香させたり、外部に香りを放つとともに内包物に香りを着香させたり、さらに、内放物に香気を付与することなく外部に香りを放つようにすることが容易となる。
【００１９】
一方、基材層の一方面側が香料弱透過層、他方面側が香料バリア層とされた請求項１記載の香り付きフィルムの香料バリア層上に粘着剤層を設け、対象物に簡易に貼付するようにすれば、既知の包装袋や容器などを香気を放つもにすることができる。例えば、香水等の香料製品の包装袋や包装箱に、当該香料製品と同様の香料を用いた香り付きラベルを貼付することで、商品を開封することなく商品の香りを判断できるようになる。
【発明の効果】
【００２０】
以上のとおり、本発明によれば、包装内外のガスバリア性を確保しつつ内部又は外部に香気を放つことが可能であり、しかも徐放性に優れ所望の強さの香りを長期間継続的に放つことが可能な香り付き包装フィルム、及び香り付き包装袋、香り付きラベルが提供される。
【図面の簡単な説明】
【００２１】
【図１】本発明に係る香り付き包装フィルムの断面図である。
【図２】本発明に係る香り付き包装袋の例を示す図である。
【図３】本発明に係る香り付きラベルの斜視図である。
【発明を実施するための形態】
【００２２】
次いで、本発明の実施の形態を図１〜３を参照しながら以下に詳述する。
他方、本実施形態に係る香り付き包装フィルム１は、図１に示すように、香料を含む基材層１０及びこの基材層１０の両面に接して配置される被覆層１１，１２を有しており、それら被覆層１１，１２のうちの一方面側の被覆層１１が基材層中の香料の揮散を抑制する香料弱透過層１１とされ、他方面側の被覆層１２が前記香料弱透過層又は基材層中の香料の揮散を防止する香料バリア層１２とされた積層構造を有している（図１は、一方面側が香料弱透過層１１、他方面側が香料バリア層１２の例を示している）。
【００２３】
基材層１０、香料弱透過層１１及び香料バリア層１２は、必ずしも単層である必要はなく、その機能を阻害しない態様であれば複数層からなる層であってもよい。例えば、香料弱透過層１１又は香料バリア層１２の基材層側と反対側面を熱融着性の高い層として、香り付き包装フィルム１を熱融着しやすいようにしてもよいし、紙、織布又は不織布等を積層接着してこれらの素材感を発現させて意匠性を高めるようにしてもよい。
【００２４】
本実施形態に係る香り付き包装フィルム１の具体的な層構造例としては、香料弱透過層１１と香料バリア層１２がガス透過性の異なる樹脂製フィルムからなり、基材層１０がこれらを貼り合せるための接着剤層とされている層構造、又は基剤層１０、香料弱透過層１１及び香料バリア層１２がすべて樹脂製フィルム層であって、香料弱透過層１１と香料バリア層１２がガス透過性の異なる樹脂製フィルムからなり、基材層１０がこれらの間に位置される香料が含有された樹脂性フィルムからなるものとされている層構造が挙げられる。
【００２５】
本実施形態に係る香り付き包装フィルム１の柔軟性又は剛性は、包装性、コスト見栄えを考慮して適宜、設計することができる。例えば、高級感のある見栄えのよいものとする場合にはやや厚みのある剛性の高いものし、複雑な形状の被包装物の包装に用いるのであれば形状追従性を高めるべく柔軟性の高いものとする。香り付き包装フィルムの剛性、柔軟性は、各層の材質や各層の厚さにより設計することができる。
【００２６】
本実施形態に係る香り付き包装フィルム１の厚みは、１５〜２００μｍであるのが望ましく、より望ましくは４５〜１４５μｍである。１５μｍ未満であると基材層、香料弱透過層の香料バリア層の各機能を有しつつ、形成可能な強度を確保することが困難となる。２００μｍを超えても厚み増加による各層の設計性の向上に乏しく、むしろコスト高になる。なお、ここでの香り付き包装フィルムのフィルム厚みの測定方法は、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて測定する。この厚みの測定時の荷重は、１２０μｍの際に約７０ｇｆである。なお、厚みは測定を１０回行って得られる平均値とする。
【００２７】
他方、本実施形態に係る香り付き包装フィルム１は、透明であっても、不透明であってもよい。また、香料弱透過層及び香料バリア層を透明或いは不透明として基材層を外部から認識可能にして、基材層のみを着色するようにしてもよい。また、基材層を着色する場合、基材層中に含まれる香料の低下に応じて変化する変色インキを用いて、香気のインジケーター機能を付与することができる。基材層中に含まれる香料の低下に応じて変化する変色インキとしては、コチニール色素や酸塩基指示薬のように基材層中に含まれる香料の低下による基材層のｐＨ変化に応じて変色するものが例示できる。さらに、本発明の香り付き包装フィルム１は、適宜の模様などが印刷されていてもよい。
【００２８】
（香料弱透過層）
本実施形態に係る香り付き包装フィルム１を構成する香料弱透過層１１は、基材層１０を被覆する層であって基材層１０からの香料を透過させはするものの、その揮散量を抑制して基材層１０が露出された状態に比して、香気の強さ及び持続性を調整する層である。
この香料弱透過層１１は、酸素の透過度が７００ｃｃ／ｍ2・２４ｈ／ａｔｍ以上、炭酸ガスの透過度が４０００ｃｃ／ｍ2・２４ｈ／ａｔｍ以上である樹脂製フィルム層が望ましい。上記ガスの透過度を有する樹脂製フィルム層であれば、香料を適度に透過させて本発明の効果を発揮させることが可能となる。香料弱透過層１１を形成する樹脂製フィルム層として好適なものは、ポリエチレンフィルム層、ポリスチレンフィルム層、ポリプロピレンフィルム、ポリカーボネートフィルム層が挙げられ、これらの中から用いる香料との関係で適宜選択することができる。
【００２９】
（香料バリア層）
他方、本実施形態に係る香り付き包装フィルム１を構成する香料バリア層１２は、香料の透過が著しく低く実質的に基材層からの香気を感じられないようにする層である。
この香料バリア層１２は、保香性に優れる樹脂製フィルム層であり、酸素の透過度が２００ｃｃ／ｍ2・２４ｈ／ａｔｍ未満、炭酸ガスの透過度が９００ｃｃ／ｍ2・２４ｈ／ａｔｍ未満である樹脂製フィルム層が望ましい。上記ガスの透過度を有する樹脂製フィルム層であれば、香料の揮散を好適に防止することが可能となる。  
【００３０】
係る樹脂製フィルム層として好適なものは、ポリエチレンテレフタレートフィルム層、ポリ塩化ビニリデンフィルム層、株式会社クラレ社製のエバールなどのＥＶＯＨ樹脂フィルム層（エチレン−ビニルアルコール共重合体フィルム層）、ＥＶＯＨ樹脂にスチレン系エラストマーを配合した樹脂からなるフィルム層が挙げられ、これらの中から用いる香料との関係で適宜選択することができる。また、香料バリア層は、金属箔などの金属シート又はこれを積層したラミネートフィルムで構成することもできる。
【００３１】
（基材層）
本実施形態に係る香り付き包装フィルム１を構成する基材層１０は、香料を含む層である。本実施形態に係る基剤層１０としては、香料弱透過層１１及び香料バリア層１２を樹脂製フィルムシートを接着する接着剤層として、或いは、香料弱透過層１１及び香料バリア層１２を構成する樹脂製フィルム層に積層される、香料が練り込まれた樹脂製フィルム層とする態様が例示できる。
【００３２】
基材層１０を接着剤層として形成する場合、その接着基剤は、香料弱透過層１１を構成する樹脂製フィルムと、香料バリア層１２を構成する樹脂製フィルムや金属箔とを剥離不能に接着するものであり、例えば、天然ゴム系粘着剤、天然ゴムラッテクス系粘着剤、アクリル系粘着剤、ホットメルト粘着剤等である。香料弱透過層及び香料バリア層の基材層との接着面が樹脂製フィルムである場合には、特に樹脂製フィルムシートの接着性に優れ、香料の溶解性・分散性にも優れるアクリル系粘着剤が好ましい。
【００３３】
基材層１０を接着剤層として形成する場合、基材層１０は、香料弱透過層１１と香料バリア層１２との間に点在的に或いはパターンをもって存在してもよいが、好ましくは全面に介在されている態様が望ましい。香料弱透過層１１と香料バリア層１２との一体性が高まる。
【００３４】
粘着剤層中における香料の配合割合は、香料の種類・揮発性等により定めることができるが、継続的にほのかに香気を発し、しかもコスト高とならないようにする点から、０．５〜１５ｇ／ｍ2、特に３〜８ｇ／ｍ2であるのがよい。
【００３５】
他方、基材層１０を香料を練り込んだ樹脂製フィルム層として形成する場合、樹脂製フィルム層の基材樹脂としては、スチレンブロックとジエンブロックを有するゴム質ブロック共重合体が望ましい。係るゴム質ブロック共重合体としては、スチレン-ブタジエン共重合体、スチレン-イソプレン共重合体、スチレン-ブタジエン-スチレン共重合体、スチレン-イソプレン-スチレン共重合体、スチレン-イソプレン-ブチレン-スチレン共重合体、スチレン-エチレン-プロプレン-スチレン共重合体、及びこれらの水素添加物が挙げられる。基材樹脂としてこれらを１種又は２種以上組み合わせて用いることができる。
【００３６】
また、基材樹脂は、ゴム質ブロック共重合体に対して、ポリエチレン、ポリプロピレン、ポリエチレン又はポリプロピレンの無水マレイン酸変性物、エチレン-ビニル共重合体を配合したものとしてもよい。
【００３７】
基材層１０を香料を練り込んだ樹脂製フィルム層として形成する場合には、基材樹脂中に１〜５０重量％の香料を配合させることができる。
【００３８】
他方、基剤層中に含有させる香料としては、天然系あるいは合成系の既知の香料を用いることができる。具体例としては、レモン油、グレープフルーツ油、ローズマリー油、ペパーミント油、マンダリン油、ライム油、ユズ油、カモミール油、ラベンダー油、ローズ油、スペアミント油等の天然香料；アルコール、ケトン、アルデヒド；リモネン、リナロール、シトロネロール、メントール、ゲラニオール等のテルペン類の合成香料などが挙げられる。これらは単独で用いても、複数を組み合わせて調合香料として用いてもよい。香料の選択は、所望の香調によって決定すればよい。
また、香料は、香気の強さの調整のために適宜ジプロピレングリコール、パラフィンオイル等の鉱物油、ヒマシ油、大豆油の植物油を用いて希釈することができる。
【００３９】
他方、本実施形態に係る基材層の厚みは、５〜１００μｍ、より好ましくは３０〜８０μｍである。この範囲であれば、香り付き包装フィルム全体を過度に厚くすることなく、徐放性の調整を厚みで行えるようになる。
【００４０】
（消臭剤）
また、基剤層中には香料とともに、悪臭成分である、トリメチルアミン等の窒素化合物系や、硫化水素、メチルカプタン等の硫黄系化合物を消臭する消臭成分を含有させてもよい。消臭成分は、香料に影響を与えず、香料とともに香料弱透過層から外部に揮散して消臭機能を発揮させることが可能な化学的消臭成分が望ましい。化学的消臭成分の具体例としては、ポリフェノール、ポリフェノール誘導体等のポリフェノール系消臭剤が挙げられる。香料と香料の機能を阻害しない消臭成分の組み合わせは公知のなかから適宜選択することができる。
【００４１】
（香り付き包装フィルムの製造方法例）
本実施形態に係る香り付き包装フィルム１は、基材層１０、香料弱透過層１１、香料バリア層１２をＴダイ法による共押出法、押し出しラミネート法、ドライラミネート法によって積層構造することができる。各層の厚みは、基剤層１０は５〜１００μｍ、香料弱透過層１１が５〜５０μｍ、香料バリア層１２が５〜５０μｍであるのが望ましい。香り付き包装フィルム全体としての成形性、柔軟性を阻害することなく各層の機能を十分に確保できる。なお、各層の具体的な厚みは、徐放性や香りの強さにより適宜変更することができる。
【００４２】
基材層１０を接着剤層として形成する場合には、香料弱透過層１１又は香料バリア層１２に係るフィルムシートを形成した後、ドライラミネート法により、予め香料を配合した接着剤で積層一体化するようにすればよい。
【００４３】
基材層１０を樹脂製フィルム層とする場合には、香料弱透過層１１を形成する樹脂、香料バリア層１２を形成する樹脂、香料を含有させた上記基材樹脂をＴダイ法による共押出法又は押し出しラミネート法により積層一体化することができる。
【００４４】
基材樹脂に香料を含有させるには、予め香料を基材樹脂に混合して混練しておき、これを材料としてフィルム化する方法、押し出し時に香料を圧入する方法が例示できる。
【００４５】
（香りの持続性調整方法）
本実施形態に係る香り付き包装フィルム１における香りの強さ及び香りの持続性の調整は、基材層中の香料の配合割合（香料濃度）、香料弱透過層１１を形成する樹脂製フィルム層の種類の選択及び厚さの調整、さらに香料弱透過層上に部分的に香料が透過しないように目止め部分を設けてもよい。目止め部分を設けることで、香料の持続性や香調を調整できる。目止め部分の形成は、保香性の高い樹脂を部分的に積層すればよい。
さらに、芳香フィルムに穴やスリットを形成して、裁断面やスリット面から基材層を外部に微小に露出させるようにして調整してもよい。
【００４６】
（大きさ、形状等）
本実施形態に係る香り付き包装フィルム１の具体的な大きさ、形状は、包装対象物に応じて適宜設計することであり、特に限定されない。
【００４７】
〔包装形態〕
本発明に係る香り付き包装フィルム１を用いた包装形態は、既知のフィルム包装形態を採用できる。好ましくは、フィルムの表裏がそれぞれ包装内外となり、かつ密封性に優れる包装形態であり、ガゼット包装、ピロー包装、四方閉じ包装が挙げられる。
【００４８】
本発明の香り付き包装フィルム１で被包装物を包装するにあたっては、帯状の長尺の香り付き包装フィルムを巻き取った原反ロールから、包装フィルムを繰出して被包装物を連続的に包装する公知装置及び方法が採用できる。この場合、特に一方面側が香料バリア層１２とされている香り付き包装フィルム１では、原反ロールにする際に、香料バリア層１２が巻き取り外面側になるように巻き取れば、原反ロール保管時に香料が揮散されることが防止される。
【００４９】
また、本発明に係る香り付き包装フィルム１により被包装物を包装するにあたっては、香料弱透過層１１を内外面にして包装物を包装した場合には、内包物に香気を移行させて着香させることができるとともに、その香気を外部からも感じられるものとなる。この包装形態では、例えば、香料が付与されていないティシュペーパーやサニタリー用品等を内包して、それらに基材層１０の香料を移香させることで、強すぎないほのかな香りを着香させるとともに、購入者がどのような香りが付与されているのかを外部からも確認できるようになる。
【００５０】
また、香料弱透過層１１を内面側として香料バリア層１２を外面側にして包装物を包んだ場合には、内包物に香気を移行させて着香させることができるとともに、外部にはその香気が漏れでないようになり、内包物に直接的に香料を付与せずに間接的に移香させる用途に適するものとなる。例えば、内包物に基材層の香料を移香させることで、強すぎないほのかな香りを着香させることができ、また、その過程で香気が外部に漏れることがなく周辺環境を香気で汚染することがないものとなる。
【００５１】
さらに、香料弱透過層１１を外面側とし、香料バリア層１２を内面側にして包装物を包んだ場合には、内包物に香気を移行させることなく、外部からは香気を感じられるようになり、内包物に香料を付与せずに外部に香気を放つものとしたい用途に適するものとなる。香辛料、紅茶のような香りが重視される食品などでは外部から香りが食品に付与されることに問題があるものの、商品イメージとして香気を消費者に感じさせることが好ましい製品や、香香りに関する雑誌やファッション小物など商品自体に香気は必要ないが、商品の販売促進のために香りを用いることが想定される商品に適する。
【００５２】
〔香り付き包装袋〕
他方、本発明においては上記香り付き包装フィルム１を袋状に成形して、香り付き包装袋２とすることができる。包装袋の具体的な形態としては、ガゼット袋、三方閉じ袋が例示できる。ガゼット袋は、上記ガゼット包装の前駆体として、三方閉じ袋は、上記四方閉じ包装の前駆体としても利用可能である。
【００５３】
図２に、香り付き包装フィルム１を用いて三方閉じ袋の形態とした香り付き包装袋２を示す。香り付き包装フィルム１から上記三方閉じ袋の形態とするには、公知の方法で行なうことができ、例えば、香り付き包装フィルム１を矩形に裁断し、中央部で折り返して底縁を形成したのちに底縁部２１及び両側縁部２２を熱融着等によりシールして三方閉じ袋の形態とすることができる。三方閉じ袋の形態から袋内に被包装物をいれ、開口部２３をシールして封止すれば上記四方閉じ包装となる。
【００５４】
香り付き包装袋２の形態においては、基材層両側の被覆層が共に、香料弱透過層１１の香り付き包装フィルムを用いれば、袋の内面２５及び外面２６のいずれも香料弱透過層１１となり、袋内外に香気が発せられるものとなる。また、基材層１０の一方面側が香料弱透過層１１、他方面側が香料バリア層１２とされている香り付き包装フィルムを用いた場合には、香料弱透過層１１を袋内面側２５にして袋を形成すれば、袋内面側２５からに香気が発せられるものとなり、香料弱透過層１１を袋外面側２６にして袋を形成すれば、袋外面２６から香気が発せられるものとなる。
【００５５】
本実施形態に係る香り付き包装袋２は、図示はしないが開口部に再封止可能な密閉チャック機構を設けてもよいし、開口された状態のままのもので使用者が封止テープなどで任意に開口部を閉じるようにして使われるものであってもよい。
【００５６】
〔香り付きラベル〕
他方、本発明においては図３に示すように、基材層１０の一方面側が香料弱透過層１１、他方面側が香料バリア層１２とされた上記香り付き包装フィルム１の香料バリア層１２上に粘着剤層３１を設け、対象物に貼付可能として香り付きラベル３とすることもできる。
【００５７】
香料バリア層上に形成する粘着層を形成するための粘着剤の具体例としては、ホットメルト系、ゴム系、ＥＶＡ系、オレフィン系、ポリエステル系、ポリアミド系、ウレタン系等の既知の材料から適宜選定可能である。なかでもホットメルト系粘着剤が好ましい。ホットメルト系粘着剤は、乾燥工程の省略が可能となり、生産性が向上する。粘着層３１の厚さは、特に限定はされないが、５〜５０μｍ、好ましくは１０〜３０μｍである。５μｍ未満だと粘着力が小さく、十分な強度で対象物へ粘着しない可能性が高くなり、５０μｍを超えると粘着力は高くならず、ラベルシート全体としての平滑性が低下し印刷性が低下する。粘着層３１を形成する方法は、バーコート法、ナイフコート法、ロールコート法、ブレードコート法、ダイコート法、グラビアコート法や凸版印刷、グラビア印刷、孔版印刷等の各種印刷方式等を用いることができる。
【００５８】
図示の形態では、粘着剤層３１を被覆保護する剥離紙３２を設けている。この剥離紙３２は、粘着層３１に対して容易に剥離可能な状態で接着する既知のものを用いることができる。剥離紙３２の具体例としては、上質紙やクラフト紙等の適宜の基材紙の粘着層面に対面する面をシリコーン、長鎖アルキルポリマー、ポリオレフィン、アルキド樹脂、フッ素化合物等の既知の剥離剤を適宜のパターンで印刷して剥離面を設けたものや、樹脂フィルムをラミネートして樹脂層面を剥離面としたラミネート紙、或いは、樹脂製フィルムシートなどが挙げられる。
【００５９】
この香り付きラベル３の形態は、剥離紙３１を剥離して粘着剤層３１を露出させ、この粘着剤層３１を介して商品の包装に貼付することで、その包装を外面から香気を感じられるものにする。商品の包装が保香性を有するフィルムなどでされていれば、上述の香料弱透過層１１を外面側に、香料バリア層１２を内面側にして包装する場合とほぼ同様の効果が得られる。
【符号の説明】
【００６０】
１…芳香フィルム、１０…基材層、１１…香料弱透過層（被覆層）、１２…香料バリア層（被覆層）、２…香り付き包装袋、２１…袋底縁部、２２…袋側縁部、２３…袋開口部、２５…袋内面、２６…袋外面、３…香り付きラベル、３１…粘着剤層、３２…剥離紙。
【図１】
2014162546.tif 000003
【図２】
2014162546.tif 000004
【図３】
2014162546.tif 000005